(57)【要約】【課題】シャッタチャンスを逃すことなく、スルー画像と静止画像とを互いに画像全体にわたって比較しながら、次の静止画像の撮像をすることの可能な携帯情報端末を提供する。【解決手段】撮像手段１と、撮像手段１を介して撮像される被写体像の静止画像を記録する静止画像記録手段２と、撮像手段１を介して撮像される被写体像のスルー画像を表示するスルー画像表示画面３１を備えた第一の表示手段３と、スルー画像表示画面３１と同じ側に同じ大きさを有して配置され、静止画像記録手段２に記録されている被写体像の静止画像を表示する静止画像表示画面４１を備えた第二の表示手段４を有する。好ましくは、第一の表示手段３が、スルー画像表示画面３１にタッチパネルを備えている。さらに好ましくは、タッチパネルをタッチすることにより、被写体像の静止画像を静止画像記録手段２に記録するようにする。【選択図】図１
2010004380.tif 000002
【特許請求の範囲】
【請求項１】
撮像手段と、
前記撮像手段を介して撮像される被写体の静止画像を記録する静止画像記録手段と、
前記撮像手段を介して撮像される被写体のスルー画像を表示するスルー画像表示画面を備えた第一の表示手段と、
前記スルー画像表示画面と同じ側に同じ大きさを有して配置され、前記静止画像記録手段に記録されている被写体の静止画像を表示する静止画像表示画面を備えた第二の表示手段、
を有することを特徴とする携帯情報端末。
【請求項２】
前記スルー画像表示画面が、タッチパネルからなることを特徴とする請求項１に記載の携帯情報端末。
【請求項３】
前記タッチパネルをタッチすることにより、被写体の静止画像を前記静止画像記録手段に記録するようにしたことを特徴とする請求項２に記載の携帯情報端末。
【請求項４】
前記撮像手段が、前記スルー画像表示画面とは反対側の視野を撮像するように構成されていることを特徴とする請求項１〜３のいずれかに記載の携帯情報端末。
【請求項５】
前記第一の表示手段及び前記第二の表示手段の少なくともいずれかの表示手段の一部に所定の操作画面を備えていることを特徴とする請求項１〜４のいずれかに記載の携帯情報端末。
【請求項６】
前記スルー画像表示画面及び前記静止画像表示画面の少なくともいずれかの表示画面の一部に所定の操作画面を重畳して備えていることを特徴とする請求項１〜５のいずれかに記載の携帯情報端末。
【請求項７】
前記第二の表示手段は、前記静止画像記録手段に記録されている被写体の静止画像のうち、最後に記録された被写体の静止画像を前記静止画像表示画面に表示することを特徴とする請求項１〜６のいずれかに記載の携帯情報端末。
【請求項８】
前記スルー画像表示画面にスルー画像として表示されている被写体像が前記静止画像記録手段に記録されたときに、その記録された被写体の静止画像を、前記スルー画像表示画面から前記静止画像表示画面にスクロール表示させるスクロール表示制御手段を有することを特徴とする請求項１〜７のいずれかに記載の携帯情報端末。
【請求項９】
前記スクロール表示制御手段は、前記被写体の静止画像を、前記スルー画像表示画面と前記静止画像表示画面とに跨らせ、且つ、該スルー画像表示画面と該静止画像表示画面との間の領域に相当する領域の画像が該被写体の静止画像の一部から抜き取られるようにして、スクロール表示させることを特徴とする請求項８に記載の携帯情報端末。
【請求項１０】
さらに、前記静止画像記録手段に記録されている被写体の静止画像のうち、前記静止画像表示画面への表示を所望する被写体の静止画像を撮影者に選択させる表示画像選択手段を有し、
前記第二の表示手段は、前記表示画像選択手段を介して選択された被写体の静止画像を前記静止画像表示画面に表示することを特徴とする請求項１〜６のいずれかに記載の携帯情報端末。
【請求項１１】
前記スルー画像表示画面と前記静止画像表示画面とを合わせるように折り畳み可能な折り畳み手段を有することを特徴とする請求項１〜１０のいずれかに記載の携帯情報端末。
【発明の詳細な説明】
【技術分野】
【０００１】
本発明は、携帯情報端末に関し、特に、対象物の静止画像とともにスルー画像を表示する機能を有する携帯情報端末に関する。
【背景技術】
【０００２】
近年、携帯情報端末は、撮像手段を備え、撮像手段で撮像した対象物の画像をスルー画像として表示画面にリアルタイム表示できるようにしたものが一般的となっている。
また、携帯情報端末は、撮像手段で撮像した対象物の静止画像を表示画面に表示できる機能も備えている。
ところで、対象物の静止画像を撮像する都度、その静止画像を表示画面に表示させてから、次の静止画像の撮像のために表示画面の表示をスルー画像に切り替えるのでは、シャッタチャンスを逃しかねず、切替操作も煩雑である。
【０００３】
しかるに、従来、対象物のスルー画像と対象物の静止画像の両方を表示画面に表示する電子カメラ装置が、例えば、次の特許文献１に記載の装置が提案されている。
【特許文献１】特開２００１−１１７１６３号公報
【０００４】
特許文献１に記載の電子カメラ装置は、撮像手段と、撮像手段で撮像された画像データを用いて被写体の静止画撮影画像の記録画像データを作成する静止画像処理手段と、撮像手段で撮像されている画像データを被写体のスルー画像として表示する画像表示手段と、スルー画像が表示される表示画面の一部に、静止画撮影画像を同時に表示させる画像切替手段を具備している。
特許文献１に記載の電子カメラ装置によれば、常時、スルー画像を表示画面に表示させながら、画像切替手段を介して、適宜、静止画撮影画像を同時に表示画面に表示させることができる。従って、利用者は、同一表示画面上で、撮像直後の静止画像を確認しながら、そのままスルー画像を確認して撮像を継続することができる。
【発明の開示】
【発明が解決しようとする課題】
【０００５】
ところで、同一の対象物を撮像対象として、例えば、露出やシャッタスピード等の撮影条件を変えて撮像する場合や、前回の撮像が失敗であったときに同じ失敗を繰り返さないで撮像するためには、スルー画像と静止画像とを画像全体にわたって比較することが望まれる。
しかし、特許文献１に記載の電子カメラ装置のように、スルー画像が表示されている同一の表示画面の一部に静止画像を表示させる構成では、スルー画像の一部が欠けてしまう。
これでは、スルー画像の欠けた部分についての画像を把握できず、次の静止画像の撮像においての正確な撮影条件を設定することができない。
【０００６】
本発明は上記問題点に鑑みてなされたものであり、シャッタチャンスを逃すことなく、スルー画像と静止画像とを互いに画像全体にわたって比較しながら、次の静止画像の撮像をすることの可能な携帯情報端末を提供することを目的とする。
【課題を解決するための手段】
【０００７】
上記目的を達成するため、本発明による携帯情報端末は、撮像手段と、前記撮像手段を介して撮像される被写体の静止画像を記録する静止画像記録手段と、前記撮像手段を介して撮像される被写体のスルー画像を表示するスルー画像表示画面を備えた第一の表示手段と、前記スルー画像表示画面と同じ側に同じ大きさを有して配置され、前記静止画像記録手段に記録されている被写体の静止画像を表示する静止画像表示画面を備えた第二の表示手段、を有することを特徴としている。
【０００８】
また、本発明の携帯情報端末においては、前記スルー画像表示画面が、タッチパネルからなるのが好ましい。
【０００９】
また、本発明の携帯情報端末においては、前記タッチパネルをタッチすることにより、被写体の静止画像を前記静止画像記録手段に記録するようにするのが好ましい。
【００１０】
また、本発明の携帯情報端末においては、前記撮像手段が、前記スルー画像表示画面とは反対側の視野を撮像するように構成されているのが好ましい。
【００１１】
また、本発明の携帯情報端末においては、前記第一の表示手段及び前記第二の表示手段の少なくともいずれかの表示手段の一部に所定の操作画面を備えているのが好ましい。
【００１２】
また、本発明の携帯情報端末においては、前記スルー画像表示画面及び前記静止画像表示画面の少なくともいずれかの表示画面の一部に所定の操作画面を重畳して備えているのが好ましい。
【００１３】
また、本発明の携帯情報端末においては、前記第二の表示手段は、前記静止画像記録手段に記録されている被写体の静止画像のうち、最後に記録された被写体の静止画像を前記静止画像表示画面に表示するのが好ましい。
【００１４】
また、本発明の携帯情報端末においては、前記スルー画像表示画面にスルー画像として表示されている被写体像が前記静止画像記録手段に記録されたときに、その記録された被写体の静止画像を、前記スルー画像表示画面から前記静止画像表示画面にスクロール表示させるスクロール表示制御手段を有するのが好ましい。
【００１５】
また、本発明の携帯情報端末においては、前記スクロール表示制御手段は、前記被写体の静止画像を、前記スルー画像表示画面と前記静止画像表示画面とに跨らせ、且つ、該スルー画像表示画面と該静止画像表示画面との間の領域に相当する領域の画像が該被写体の静止画像の一部から抜き取られるようにして、スクロール表示させるのが好ましい。
【００１６】
また、本発明の携帯情報端末においては、さらに、前記静止画像記録手段に記録されている被写体の静止画像のうち、前記静止画像表示画面への表示を所望する被写体の静止画像を選択する表示画像選択手段を有し、前記第二の表示手段は、前記表示画像選択手段を介して選択された被写体の静止画像を前記静止画像表示画面に表示するのが好ましい。
【００１７】
また、本発明の携帯情報端末においては、前記スルー画像表示画面と前記静止画像表示画面とを合わせるように折り畳み可能な折り畳み手段を有するのが好ましい。
【発明の効果】
【００１８】
本発明によれば、シャッタチャンスを逃すことなく、スルー画像と静止画像とを互いに画像全体にわたって比較しながら、次の静止画像の撮像をすることの可能な携帯情報端末が得られる。
【発明を実施するための最良の形態】
【００１９】
図１は本発明の携帯情報端末の概略構成の一例を示す説明図、図２は図１の携帯情報端末におけるスルー画像表示画面と静止画像表示画面の配置及び表示例を示す説明図である。
本発明の携帯情報端末は、図１に示すように、撮像手段１と、静止画像記録手段２と、第一の表示手段３と、第二の表示手段４を有している。なお、５は制御手段である。
【００２０】
静止画像記録手段２は、撮像手段１を介して撮像される被写体の静止画像を記録する。
第一の表示手段３は、スルー画像表示画面３１を備えている。スルー画像表示画面３１は、撮像手段１を介して撮像される被写体のスルー画像をリアルタイムで表示する。
第二の表示手段４は、静止画像表示画面４１を備えている。静止画像表示画面４１は、スルー画像表示画面３１と同じ側に同じ大きさを有して配置され、静止画像記録手段２に記録されている被写体の静止画像を表示する。なお、スルー画像表示画面３１と静止画像表示画面４１の配置は、水平又は垂直方向の並列配置が好ましい。
撮像手段１は、対物レンズ及び撮像素子（図示省略）を有して構成されている。また、撮像手段１は、対物レンズ（図示省略）が表示画面２１の裏側に設けられ、スルー画像表示画面３１とは反対側の視野を撮像することができるように構成されている。
【００２１】
制御手段５は、マイクロコンピュータを備えた制御回路であり、携帯情報端末の動作を次のように制御する。
観察者が撮像手段１の対物レンズ（図示省略）を所定の観察視野に向けたときには、撮像手段１にその所定の観察視野を撮像させる。次いで、第一の表示手段３のスルー画像表示画面３１に、撮像された画像をリアルタイムで表示させる。また、観察者による所定の静止画撮像操作があったときには、静止画像記録手段２に、撮像手段１を介して撮像される被写体の静止画像を記録させる。次いで、第二の表示手段４の静止画像表示画面４１に、静止画像記録手段２に記録されている被写体の静止画像を表示させる。
【００２２】
このように構成された本発明の携帯情報端末を用いて所定の視野を撮像するときの表示画面の表示内容を、図２を用いて説明する。
ここでは、太陽Ｂを背景としたカップルＡを撮像する場合について説明する。
観察者が撮像手段１の対物レンズ（図示省略）を所定の観察視野に向けると、撮像手段１が所定範囲の観察視野を撮像する。次いで、第一の表示手段３が、撮像された画像を、スルー画像表示画面３１にリアルタイムで表示する。次いで、観察者が所定の静止画撮像操作をすると、静止画像記録手段２が、撮像手段１を介して撮像される被写体の静止画像を記録する。次いで、第二の表示手段４が、静止画像記録手段２に記録されている被写体の静止画像を、静止画像表示画面４１に表示する。
【００２３】
例えば、図２に示すように、スルー画像表示画面３１には、撮像手段１で撮像されているカップルＡ及び太陽Ｂがリアルタイムで表示されている。ここで、カップルＡを対象として倍率を高くするとともに、太陽Ｂを視野から外して静止画像を撮像したとする。すとと、静止画像表示画面４１には、そのカップルＡが大写しされた静止画像が表示される。
そこで、観察者は、静止画像表示画面４１に大写しで表示されたカップルＡの静止画像と、スルー画像表示画面３１にリアルタイムで表示されているカップルＡ及び太陽Ｂのスルー画像とを見比べながら、次の静止画像の撮像に最適な撮影条件（撮影倍率、視野、明るさ、シャッタスピード、撮影モード等）を検討することができる。
【００２４】
このとき、本発明の携帯情報端末によれば、スルー画像表示画面３１とともに、被写体の静止画像を表示する静止画像表示画面４１を、スルー画像表示画面３１と同じ側に同じ大きさを有して備えたので、静止画像が表示されてもスルー画像の一部が欠けることがない。
従って、本発明の携帯情報端末によれば、シャッタチャンスを逃すことなく、スルー画像と静止画像とを互いに画像全体にわたって比較しながら、次の静止画像の撮像をすることができる。
【００２５】
なお、本発明の携帯情報端末においては、スルー画像表示画面３１が、タッチパネルからなるのが好ましい。
このようにすれば、観察者はタッチパネルにタッチすることによって撮像のための諸操作をすることが可能となり、撮像操作がし易くなる。
【００２６】
そして、本発明の携帯情報端末においては、タッチパネルをタッチすることにより、被写体の静止画像を静止画像記録手段２に記録するようにするのが好ましい。
このようにすれば、静止画像の撮像に際しシャッタボタンの押下が不要となり、撮像操作がし易くなるとともに、部材点数を低減してコンパクト化できる。
【００２７】
また、本発明の携帯情報端末においては、上述したように、撮像手段１が、スルー画像表示画面３１とは反対側の視野を撮像するように構成されているのが好ましい。
このようにすれば、観察者は、スルー画像で見ている方向と同じ方向を撮像することができ、静止画像が撮像し易くなる。
【００２８】
また、本発明の携帯情報端末においては、第一の表示手段３及び第二の表示手段４の少なくともいずれかの表示手段の一部に所定の操作画面（図示省略）を備えているのが好ましい。
このようにすれば、撮像のための条件設定操作がし易くなる。
【００２９】
また、本発明の携帯情報端末においては、スルー画像表示画面３１及び静止画像表示画面４１の少なくともいずれかの表示画面の一部に所定の操作画面（図示省略）を重畳して備えているのが好ましい。
このようにすれば、限られたスペースにおいて表示画面を最大限に大きくとることができる。
【００３０】
また、本発明の携帯情報端末においては、第二の表示手段４は、静止画像記録手段２に記録されている被写体の静止画像のうち、最後に記録された被写体の静止画像を静止画像表示画面４１に表示するのが好ましい。
このようにすれば、最新の撮影条件で撮像した被写体の静止画像についての撮影の成功・不成功を確認できる。
【００３１】
また、本発明の携帯情報端末においては、スルー画像表示画面３１にスルー画像として表示されている被写体像が静止画像記録手段２に記録されたときに、その記録された被写体の静止画像を、スルー画像表示画面３１から静止画像表示画面４１にスクロール表示させるスクロール表示制御手段（図示省略）を有するのが好ましい。
このようにすれば、撮影した静止画像を楽しく確認することができる。
【００３２】
また、本発明の携帯情報端末においては、スクロール表示制御手段（図示省略）は、被写体の静止画像を、スルー画像表示画面３１と静止画像表示画面４１とに跨らせ、且つ、スルー画像表示画面３１と静止画像表示画面４１との間の領域に相当する領域の画像が被写体の静止画像の一部から抜き取られるようにして、スクロール表示させるのが好ましい。
このようにすれば、撮像した静止画像がスルー画像表示画面３１から静止画像表示画面４１へと平行移動したように見え、観察者の視覚に違和感を与えずに済む。
【００３３】
また、本発明の携帯情報端末においては、さらに、静止画像記録手段２に記録されている被写体の静止画像のうち、静止画像表示画面４１への表示を所望する被写体の静止画像を撮影者に選択させる表示画像選択手段（図示省略）を有し、第二の表示手段４は、表示画像選択手段（図示省略）を介して選択された被写体の静止画像を静止画像表示画面４１に表示するようにしてもよい。
このようにすれば、スルー画像を、撮影者にとって最も良い撮影条件で撮影された過去の静止画像と比較しながら、最新の静止画像を撮像することが可能となる。
【００３４】
また、本発明の携帯情報端末においては、スルー画像表示画面３１と静止画像表示画面４１とを合わせるように折り畳み可能な折り畳み手段を有するのが好ましい。
このようにすれば、携帯情報端末を極力コンパクトな状態で携帯でき、且つ、スルー画像を静止画像とを互いに全体を同時に比較しながら静止画像の撮影をすることができる。
【００３５】
なお、図１は本発明の携帯情報端末の基本構成の一例を示したものにすぎない。従って、本発明の携帯情報端末は、撮像手段と、前記撮像手段を介して撮像される被写体の静止画像を記録する静止画像記録手段と、前記撮像手段を介して撮像される被写体のスルー画像を表示するスルー画像表示画面を備えた第一の表示手段と、前記スルー画像表示画面と同じ側に同じ大きさを有して配置され、前記静止画像記録手段に記録されている被写体の静止画像を表示する静止画像表示画面を備えた第二の表示手段、を有するものであれば、図１に示した構成に限定されるものではなく、どのような構成でもよい。
【００３６】
次に、図１に示した基本構成を備えた本発明の携帯情報端末の実施形態について説明する。
第一実施形態
図３は本発明の第一実施形態にかかる携帯情報端末の概略構成を示す説明図であり、(a)は撮影操作状態を示す図、(b)は(a)の携帯情報端末における操作画面の一配置例を示す図、(c)は(a)の携帯情報端末における操作画面の他の配置例を示す図である。
なお、図１に示す構成と同じ部分については同じ符号を付し、説明は省略する。
第一実施形態の携帯情報端末は、図１に示した携帯情報端末と基本的な構成は同じである。
第一実施形態の携帯情報端末では、スルー画像表示画面３１が、タッチパネルで構成されている。そして、タッチパネルをタッチすることにより、被写体の静止画像を静止画像記録手段２に記録するようになっている。
また、第一の表示手段３には、所定の操作画面３２を備えている。所定の操作画面３２は、撮影条件（撮影倍率、視野、明るさ、シャッタスピード、撮影モード等）を設定するための操作ボタンを備えた画面である。なお、所定の操作画面３２は、図３(b)に示すように、第一の表示手段３におけるスルー画像表示画面３１とは別の領域に設けてもよいし、あるいは、図３(c)に示すように、スルー画像表示画面３１に重畳して設けてもよい
また、撮像手段１は、対物レンズ１１が、スルー画像表示画面３１の裏側に設けられており、スルー画像表示画面３１とは反対側の視野を撮像するようになっている。
さらに、スルー画像表示画面３１と静止画像表示画面４１は、図示省略したヒンジ機構等の折り畳み手段を介して、互いの面が向き合って折り畳まれるようになっている。
その他の構成は、図１に示した携帯情報端末と略同じである。
【００３７】
このように構成された第一実施形態の携帯情報端末を用いて所定の視野を観察するときの操作及び表示画面の表示内容を、図３を用いて説明する。なお、図３中、Ｍは撮影者の指である。
ここでも、太陽Ｂを背景としたカップルＡを撮像する場合について説明する。
観察者が撮像手段１を所定の観察視野に向けると、撮像手段１が所定範囲の観察視野を撮像する。次いで、第一の表示手段３が、撮像された画像を、スルー画像表示画面３１にリアルタイムで表示する。次いで、観察者が第一の表示手段３における操作画面３２を介して撮影条件（撮影倍率、視野、明るさ、シャッタスピード、撮影モード等）を設定するとともに、スルー画像表示画面３１にタッチする。すると、静止画像記録手段２が、設定した撮影条件（撮影倍率、視野、明るさ、シャッタスピード、撮影モード等）で撮像手段１を介して撮像される被写体の静止画像を記録する。次いで、第二の表示手段４が、静止画像記録手段２に記録されている被写体の静止画像を、静止画像表示画面４１に表示する。
【００３８】
例えば、図３(a)に示すように、スルー画像表示画面３１には、撮像手段１で撮像されているカップルＡ及び太陽Ｂがリアルタイムで表示されている。ここで、例えば、図３(a)に示す操作画面３２を介してカップルＡの一方（ここでは、向かって左側の大きい人間）を対象として所定の倍率に調整するとともに、カップルＡの他方（ここでは、向かって右側の小柄な人間）及び太陽Ｂを視野から外す。その後、スルー画像表示画面３１にタッチしたとする。すると、スルー画像表示画面３１に大写しで表示されているカップルＡの一方の静止画像が静止画像記録手段２に記録され、表示画面４１には、そのカップルＡの一方が大写しされた静止画像が表示される。また、スルー画像表示画面３１には、撮像手段１で撮像されているカップルＡ及び太陽Ｂがリアルタイムで表示される。
そこで、撮影者は、静止画像表示画面４１に表示されたカップルＡの一方が大写しされた静止画像と、スルー画像表示画面３１に表示されているカップルＡ及び太陽Ｂがリアルタイム表示されているスルー画像とを見比べながら、次の静止画像の撮影条件（撮影倍率、視野、明るさ、シャッタスピード、撮影モード等）を検討することができる。
なお、撮影をしない場合は、図示しないヒンジ等の折り畳み手段を介してスルー画像表示画面３１と静止画像表示画面４１とを合わせるように折り畳む。これにより、携帯情報端末がコンパクトになる。
【００３９】
第一実施形態の携帯情報端末によれば、スルー画像表示画面３１が、タッチパネルからなり、タッチパネルをタッチすることにより、被写体の静止画像を静止画像記録手段２に記録するようにしたので、撮像操作がし易くなるとともに、静止画像の撮像に際しシャッタボタンの押下操作が不要となり、その分、部材点数を低減し、コンパクト化できる。
また、第一実施形態の携帯情報端末によれば、撮像手段１が、スルー画像表示画面とは反対側の視野を撮像するように構成されているので、スルー画像で見ている方向と同じ方向を撮像することになり、静止画像を撮像し易くなる。
また、本発明の携帯情報端末においては、第一の表示手段３及び第二の表示手段４の少なくともいずれかの表示手段の一部に所定の操作画面３２を備えたので、撮像のための条件設定操作がし易くなる。
また、スルー画像表示画面３１と静止画像表示画面４１とを合わせるように折り畳み可能な折り畳み手段（図示省略）を有するので、携帯情報端末を極力コンパクトな状態で携帯できる。
その他の作用効果は図1に示した携帯情報端末と略同じである。
【００４０】
第二実施形態
図４は本発明の第二実施形態にかかる携帯情報端末の概略構成を示す説明図、図５は図４の携帯情報端末の表示画面におけるスクロール表示の一例を示す説明図であり、(a)はスクロール表示対象の対象物、(b)はスクロール表示が開始した状態を示す図、(c)は(b)はスクロール表示の途中の状態を示す図、(d)はスクロール表示が完了した状態を示す図である。
なお、図１に示す構成と同じ部分については同じ符号を付し、説明は省略する。
第二実施形態の携帯情報端末は、図１に示した携帯情報端末の構成に加えて、スクロール表示制御手段６を有している。
スクロール表示制御手段６は、スルー画像表示画面３１にスルー画像として表示されている被写体像が静止画像記録手段２に記録されたときに、その記録された被写体の静止画像を、スルー画像表示画面３１から静止画像表示画面４１にスクロール表示させる。
より詳しくは、スクロール表示制御手段６は、図５(b)、図５(c)に示すように、被写体の静止画像を、スルー画像表示画面３１と静止画像表示画面４１とに跨らせ、且つ、スルー画像表示画面３１と静止画像表示画面４１との間の領域に相当する領域の画像が被写体の静止画像の一部から抜き取られるようにして、スクロール表示させる。
【００４１】
制御手段５は、マイクロコンピュータを備えた制御回路であり、携帯情報端末の動作を次のように制御する。
観察者が撮像手段１を所定の観察視野に向けたときには、撮像手段１にその所定の観察視野を撮像させる。次いで、第一の表示手段３のスルー画像表示画面３１に、撮像された画像をリアルタイムで表示させる。また、観察者からの静止画撮像操作があったときには、静止画像記録手段２に、撮像手段１を介して撮像される被写体の静止画像を記録させる。次いで、第二の表示手段４の静止画像表示画面４１に、静止画像記録手段２に記録されている被写体の静止画像を表示させる。その際、スクロール表示制御手段６に、その記録された被写体の静止画像を、スルー画像表示画面３１から静止画像表示画面４１にスクロール表示させる。また、被写体の静止画像を、スルー画像表示画面３１と静止画像表示画面４１とに跨らせ、且つ、スルー画像表示画面３１と静止画像表示画面４１との間の領域に相当する領域の画像が被写体の静止画像の一部から抜き取られるようにして、スクロール表示の制御をさせる。
その他の構成は、図１に示した携帯情報端末と略同じである。
【００４２】
このように構成された本発明の携帯情報端末を用いて所定の視野を撮像するときの表示画面の表示内容を、図５を用いて説明する。
ここでも、太陽Ｂを背景としたカップルＡを撮像する場合について説明する。
観察者が撮像手段１を所定の観察視野に向けると、撮像手段１が所定範囲の観察視野を撮像する。次いで、第一の表示手段３が、撮像された画像を、スルー画像表示画面３１にリアルタイムで表示する。次いで、観察者が静止画撮像操作をすると、静止画像記録手段２が、撮像手段１を介して撮像される被写体の静止画像を記録する。次いで、第二の表示手段４が、静止画像記録手段２に記録されている被写体の静止画像を、静止画像表示画面４１に表示する。その際、スクロール表示制御手段６が、その記録された被写体の静止画像を、スルー画像表示画面３１から静止画像表示画面４１にスクロール表示させる。そして、被写体の静止画像を、スルー画像表示画面３１と静止画像表示画面４１とに跨らせ、且つ、スルー画像表示画面３１と静止画像表示画面４１との間の領域に相当する領域の画像が被写体の静止画像の一部から抜き取られるようにして、スクロール表示させる。
【００４３】
例えば、図５(a)に示すように、スルー画像表示画面３１には、撮像手段１で撮像されているカップルＡ及び太陽Ｂがリアルタイムで表示されている。また、その直前の静止画像の撮影では、カップルＡを対象として倍率を高くするとともに、太陽Ｂを視野から外した静止画像が撮像されており、静止画像表示画面４１には、図５(b)に示すように、そのカップルＡが大写しされた静止画像が表示されている。
ここで、撮影者は、静止画像表示画面４１に表示されたカップルＡが大写しされた静止画像と、スルー画像表示画面３１に表示されているカップルＡ及び太陽Ｂがリアルタイム表示されているスルー画像とを見比べながら、次の静止画像の撮影条件（撮影倍率、視野、明るさ、シャッタスピード、撮影モード等）を検討し、カップルＡ及び太陽Ｂが表示されたスルー画像の静止画像を撮像したとする。
すると、図５(b)〜図５(c)に示すように、撮像された静止画像は、スルー画像表示画面３１から静止画像表示画面４１にスクロール表示される。また、図５(b)、図５(c)に示すように、スクロール表示させる被写体の静止画像がスルー画像表示画面３１と静止画像表示画面４１とに跨るときには、スルー画像表示画面３１と静止画像表示画面４１との間に相当する領域の画像が被写体の静止画像の一部から抜き取られて表示される。
従って、撮影者は、スルー画像表示画面３１に表示された画像を、静止画像として撮像したときに、静止画像表示画面４１にそのまま平行移動したかのように見ることができる。
【００４４】
第二実施形態の携帯情報端末によれば、スルー画像表示画面３１にスルー画像として表示されている被写体像が静止画像記録手段２に記録されたときに、その記録された被写体の静止画像を、スルー画像表示画面３１から静止画像表示画面４１にスクロール表示させるスクロール表示制御手段６を有するので、撮影した静止画像を楽しく確認することができる。
また、第二実施形態の携帯情報端末によれば、スクロール表示制御手段６が、被写体の静止画像を、スルー画像表示画面３１と静止画像表示画面４１とに跨らせ、且つ、スルー画像表示画面３１と静止画像表示画面４１との間の領域に相当する領域の画像が被写体の静止画像の一部から抜き取られるようにして、スクロール表示させるので、撮影者は撮像した静止画像がスルー画像表示画面３１から静止画像表示画面４１へと平行移動したように見ることができ、撮影者の視覚に違和感を与えずに済む。
その他の作用効果は、図1に示した携帯情報端末と略同じである。
【００４５】
第三実施形態
図６は本発明の第三実施形態にかかる携帯情報端末の概略構成を示す説明図である。
なお、図１に示す構成と同じ部分については同じ符号を付し、説明は省略する。
第三実施形態の携帯情報端末は、図１に示した携帯情報端末の構成に加えて、表示画像選択手段７を有している。
表示画像選択手段７は、静止画像記録手段２に記録されている被写体の静止画像のうち、静止画像表示画面４１への表示を所望する被写体の静止画像を選択させる機能を備えている。
なお、選択させる機能としては、例えば、静止画像の撮像操作時に、静止画像表示画面への表示の要否を選択させるメッセージをスルー画像表示画面３１の一部の領域に表示させるとよい。あるいは、観察者からの所定の操作があったときに、静止画像表示画面４１に過去の静止画像を分割表示して、所望の画像を選択させるようにしてもよい。さらには、これらの機能を兼ね備えるようにしてもよい。
また、第二の表示手段４は、表示画像選択手段７を介して選択された被写体の静止画像を静止画像表示画面４１に表示する。
【００４６】
制御手段５は、マイクロコンピュータを備えた制御回路であり、携帯情報端末の動作を次のように制御する。
観察者が撮像手段１を所定の観察視野に向けたときには、撮像手段１にその所定の観察視野を撮像させる。次いで、第一の表示手段３のスルー画像表示画面３１に、撮像された画像をリアルタイムで表示させる。また、観察者からの静止画撮像操作があったときには、静止画像記録手段２に、撮像手段１を介して撮像される被写体の静止画像を記録させる。また、第二の表示手段４の静止画像表示画面４１に、静止画像記録手段２に記録されている被写体の静止画像のうち、表示画像選択手段７を介して選択された被写体の静止画像を静止画像表示画面４１に表示させる。
その他の構成は、図１に示した携帯情報端末と略同じである。
【００４７】
このように構成された第三実施形態の携帯情報端末を用いて所定の視野を観察するときの操作を説明する。
観察者が撮像手段１を所定の観察視野に向けると、撮像手段１が所定範囲の観察視野を撮像する。次いで、第一の表示手段３が、撮像された画像を、スルー画像表示画面３１にリアルタイムで表示する。次いで、観察者が静止画撮像操作をすると、静止画像記録手段２が、撮像手段１を介して撮像される被写体の静止画像を記録する。また、観察者が、静止画像記録手段２に記録されている被写体の静止画像のうち、表示画像選択手段７を介して所望の被写体の静止画像を選択したときに、第二の表示手段４が、選択された被写体の静止画像を、静止画像表示画面４１に表示する。
【００４８】
第三実施形態の携帯情報端末によれば、スルー画像を、撮影者にとって最も良い撮影条件で撮影された過去の静止画像と比較しながら、最新の静止画像を撮像することが可能となる。
その他の作用効果は、図1に示した携帯情報端末と略同じである。
【００４９】
以上、本発明の携帯情報端末の実施形態を説明したが、本発明の携帯情報端末は、上記各実施形態に示したものに限定されない。例えば、各実施形態の携帯情報端末に特有の構成を任意に組み合わせても勿論よい。
さらに、本発明の携帯情報端末におけるスルー画像表示画面と静止画像表示画面の構成は、コンパクトなデジタルカメラや、一眼レフデジタルカメラ等にも応用可能である。
【産業上の利用可能性】
【００５０】
本発明はスルー画像を静止画像とを画像全体にわたって比較しながら静止画像の撮影をすることを必要とする分野に有用である。
【図面の簡単な説明】
【００５１】
【図１】本発明の携帯情報端末の概略構成の一例を示す説明図である。
【図２】図１の携帯情報端末のスルー画像表示画面と静止画像表示画面の表示状態の一例を示す説明図である。
【図３】本発明の第一実施形態にかかる携帯情報端末の概略構成を示す説明図であり、(a)は撮影操作状態を示す図、(b)は(a)の携帯情報端末における第一の表示手段へ備えた操作画面の一例を示す図、(c)は(a)の携帯情報端末における第一の表示手段へ備えた操作画面の他の例を示す図である。
【図４】本発明の第二実施形態にかかる携帯情報端末の概略構成を示す説明図である。
【図５】図４の携帯情報端末の表示画面におけるスクロール表示の一例を示す説明図であり、(a)はスクロール表示対象の対象物、(b)はスクロール表示が開始した状態を示す図、(c)は(b)はスクロール表示途中状態を示す図、(d)はスクロール表示が完了した状態を示す図である。
【図６】本発明の第三実施形態にかかる携帯情報端末の概略構成を示す説明図である。
【符号の説明】
【００５２】
１          撮像手段
２          静止画像記録手段
３          第一の表示手段
３１        スルー画像表示画面
４          第二の表示手段
４１        静止画像表示画面
５          制御手段
６          スクロール表示制御手段
７          表示画面選択手段
Ａ          カップル
Ｂ          太陽
Ｍ          撮影者の指
【図１】
2010004380.tif 000003
【図２】
2010004380.tif 000004
【図３】
2010004380.tif 000005
【図４】
2010004380.tif 000006
【図５】
2010004380.tif 000007
【図６】
2010004380.tif 000008